【手続補正書】
【提出日】平成19年10月18日(2007.10.18)
【手続補正１】
【補正対象書類名】明細書
【補正対象項目名】特許請求の範囲
【補正方法】変更
【補正の内容】
【特許請求の範囲】
【請求項１】  遊技機が設置される遊技島台内に設置され、駆動モータの駆動軸に、該駆動軸に対して偏心する偏心軸部材が固着されるとともに、該偏心軸部材には、遊技媒体を清浄する清浄部材が敷設された揺動板が回動自在に枢着され、前記駆動モータの駆動により前記揺動板が揺動するようになっており、前記揺動板の揺動により、前記清浄部材と該清浄部材上に流入される遊技媒体とが摺接して前記遊技媒体が清浄される遊技媒体清浄装置であって、
前記遊技媒体を前記揺動板に向けて付勢する付勢部材を備え、
前記揺動板と前記駆動軸とは、前記駆動軸に対する前記揺動板の傾動を許容する傾動許容機構を介して連係されていることを特徴とする遊技媒体清浄装置。
【請求項２】  前記傾動許容機構は、自動調心性を有する調心軸受にて構成されている請求項１に記載の遊技媒体清浄装置。
【請求項３】  前記調心軸受は、転がり軸受である請求項２に記載の遊技媒体清浄装置。
【請求項４】  前記調心軸受は、滑り軸受である請求項２に記載の遊技媒体清浄装置。
【請求項５】  前記揺動板には、前記調心軸受を嵌入可能な筒状の取付部材が固着されており、該取付部材は、固定手段を介して前記調心軸受に相対回転不能に固定出来るようになっており、前記固定手段は着脱自在である請求項２〜４のいずれかに記載の遊技媒体清浄装置。
【請求項６】  前記揺動板における前記清浄部材と対向する面に高摩擦部材が設けられている請求項１〜５のいずれかに記載の遊技媒体清浄装置。
【請求項７】  前記遊技媒体清浄装置は、前記揺動板上に流入した遊技媒体が遊技媒体流出部から流出されるように構成されているとともに、該遊技媒体流出部からの遊技媒体の流出を抑制する流出抑制手段を備える請求項１〜６のいずれかに記載の遊技媒体清浄装置。
【請求項８】  前記揺動板の端部の上下方向の揺動を規制する規制手段が設けられている請求項１〜７のいずれかに記載の遊技媒体清浄装置。
【請求項９】  前記遊技媒体清浄装置は、前記揺動板上に新規な前記清浄部材を引出す引出し手段を備えるとともに、前記遊技媒体の前記揺動板上からの落下を防止する落下防止部材が、前記揺動板の揺動に追従しないように設けられている請求項１〜８のいずれかに記載の遊技媒体清浄装置。
【手続補正２】
【補正対象書類名】明細書
【補正対象項目名】０００７
【補正方法】変更
【補正の内容】
【０００７】
【課題を解決するための手段】
上記課題を解決するために、本発明の遊技媒体清浄装置は、
遊技機が設置される遊技島台内に設置され、駆動モータの駆動軸に、該駆動軸に対して偏心する偏心軸部材が固着されるとともに、該偏心軸部材には、遊技媒体を清浄する清浄部材が敷設された揺動板が回動自在に枢着され、前記駆動モータの駆動により前記揺動板が揺動するようになっており、前記揺動板の揺動により、前記清浄部材と該清浄部材上に流入される遊技媒体とが摺接して前記遊技媒体が清浄される遊技媒体清浄装置であって、
前記遊技媒体を前記揺動板に向けて付勢する付勢部材を備え、
前記揺動板と前記駆動軸とは、前記駆動軸に対する前記揺動板の傾動を許容する傾動許容機構を介して連係されていることを特徴としている。
この特徴によれば、偏心軸部材に対する揺動板の取付け精度や、偏心軸部材の加工誤差、あるいは遊技媒体の偏り等の何らかの要因により軸心に狂いが生じても、偏心軸部材と揺動板との相対回動は傾動許容機構によって円滑に行われるため、駆動軸に無理な負荷がかかることによる駆動モータの損傷が防止されるとともに、揺動板を長期にわたって安定的に揺動させることが出来る。また、遊技媒体が清浄部材に向けて付勢されるため、清浄効果が向上する。
【手続補正３】
【補正対象書類名】明細書
【補正対象項目名】００１３
【補正方法】削除
【補正の内容】
【手続補正４】
【補正対象書類名】明細書
【補正対象項目名】０１４４
【補正方法】変更
【補正の内容】
【０１４４】
本発明の請求項１は、遊技機（パチンコ機２）が設置される遊技島台（１、１’）内に設置され、駆動モータ（モータ３６）の駆動軸（回転軸３７）に、該駆動軸に対して偏心する偏心軸部材（３９）が固着されるとともに、該偏心軸部材には、遊技媒体（パチンコ玉）を清浄する清浄部材（シート部材Ｓ）が敷設された揺動板（３２）が回動自在に枢着され、前記駆動モータの駆動により前記揺動板が揺動するようになっており、前記揺動板の揺動により、前記清浄部材と該清浄部材上に流入される遊技媒体とが摺接して前記遊技媒体が清浄される遊技媒体清浄装置（１７）であって、前記遊技媒体を前記揺動板に向けて付勢する付勢部材（蓋部材５７）を備え、前記揺動板と前記駆動軸とは、前記駆動軸に対する前記揺動板の傾動を許容する傾動許容機構（ベアリング４３、１４０、１５０、摺動面１６１ａ及び軌道面１６５ａ、摺動面３９ａ及び軌道面１６５ａ’）を介して連係されている。
【手続補正５】
【補正対象書類名】明細書
【補正対象項目名】０１５０
【補正方法】削除
【補正の内容】
【手続補正６】
【補正対象書類名】明細書
【補正対象項目名】０１５１
【補正方法】変更
【補正の内容】
【０１５１】
本発明の請求項７は、前記遊技媒体清浄装置は、前記揺動板（３２）上に流入した遊技媒体（パチンコ玉）が遊技媒体流出部（５３）から流出されるように構成されているとともに、該遊技媒体流出部からの遊技媒体の流出を抑制する流出抑制手段（短片部５４ａ）を備える。
【手続補正７】
【補正対象書類名】明細書
【補正対象項目名】０１５２
【補正方法】変更
【補正の内容】
【０１５２】
本発明の請求項８は、前記揺動板の端部の上下方向の揺動を規制する規制手段（回転規制部材４６）が設けられている。
【手続補正８】
【補正対象書類名】明細書
【補正対象項目名】０１５３
【補正方法】変更
【補正の内容】
【０１５３】
本発明の請求項９は、前記遊技媒体清浄装置（１７）は、前記揺動板（３２）上に新規な前記清浄部材（シート部材Ｓ）を引出す引出し手段（巻取りモータ８９）を備えるとともに、前記遊技媒体（パチンコ玉）の前記揺動板上からの落下を防止する落下防止部材（ガイドレール２９、板部材５４）が、前記揺動板の揺動に追従しないように設けられている。
【手続補正９】
【補正対象書類名】明細書
【補正対象項目名】０１５９
【補正方法】変更
【補正の内容】
【０１５９】
（ａ）請求項１項の発明によれば、偏心軸部材に対する揺動板の取付け精度や、偏心軸部材の加工誤差、あるいは遊技媒体の偏り等の何らかの要因により軸心に狂いが生じても、偏心軸部材と揺動板との相対回動は傾動許容機構によって円滑に行われるため、駆動軸に無理な負荷がかかることによる駆動モータの損傷が防止されるとともに、揺動板を長期にわたって安定的に揺動させることが出来る。また、遊技媒体が清浄部材に向けて付勢されるため、清浄効果が向上する。
【手続補正１０】
【補正対象書類名】明細書
【補正対象項目名】０１６５
【補正方法】削除
【補正の内容】
【手続補正１１】
【補正対象書類名】明細書
【補正対象項目名】０１６６
【補正方法】変更
【補正の内容】
【０１６６】
（ｇ）請求項７項の発明によれば、揺動板上の遊技媒体は、該揺動板上に流入される遊技媒体により押圧されることで遊技媒体流出部から流出するため、遊技媒体を遊技媒体流出部に向けて強制的に排出させる機構等を設ける必要がないとともに、揺動板上の遊技媒体が流入される遊技媒体により遊技媒体流出部方向に押圧されても、流出抑制手段により遊技媒体の遊技媒体流出部からの流出が抑制されることにより遊技媒体が清浄部材上に長く滞留することになるため、清浄作用が効果的に高まる。
【手続補正１２】
【補正対象書類名】明細書
【補正対象項目名】０１６７
【補正方法】変更
【補正の内容】
【０１６７】
（ｈ）請求項８項の発明によれば、揺動時における揺動板の端部側に生じる上下方向のあばれが効果的に抑制される。
【手続補正１３】
【補正対象書類名】明細書
【補正対象項目名】０１６８
【補正方法】変更
【補正の内容】
【０１６８】
（ｉ）請求項９項の発明によれば、落下防止部材が揺動板の揺動に追従して揺動することがないので、揺動板の揺動や清浄部材の引出しにより、敷設された清浄部材が捩れたりめくれるなどして揺動板上面が露出することがないため、落下防止部材近傍に位置する遊技媒体が清浄されなくなることがなく、揺動板上の全ての遊技媒体を偏りなく清浄出来るばかりか、引出し手段により揺動板上に引出された清浄部材により揺動板の揺動が規制されることがない。